(57)【要約】【課題】棒状体の下端部の外周面からの剥がれを確実に防止して、見栄えの悪化をなくしつつ、自動車のヘッドライトの照射光を確実に反射させて運転者が遠く離れた位置から棒状体の存在を明確に認知することができ、運転者が早い段階で事前に棒状体の存在に対応することができる光標示具を提供する。【解決手段】基材としての合成樹脂に反射材が配合されたゴム組成物により無端帯状の光標示具本体２０を形成する。杖の下端部に装着した石突本体１３の外周面のくびれ部１３３よりも上方の上部位置に、周方向に連続して形成された周溝１３８を設ける。そして、光標示具本体２０を石突本体１３の周溝１３８に嵌挿させている。【選択図】 図４
0003196799.tif 000002
【実用新案登録請求の範囲】
【請求項１】
基材としての合成樹脂に蓄光材や反射材が配合された弾性樹脂組成物により光標示具本体が形成され、
前記光標示具本体が、上下方向へ延びる棒状体の少なくとも下端部に一体に設けられていることを特徴とする光標示具。
【請求項２】
基材としての合成樹脂に蓄光材や反射材が配合された弾性樹脂組成物により光標示具本体が形成され、
前記光標示具本体が、上下方向へ延びる棒状体の少なくとも下端部に設けられた凹部に別体で嵌合されていることを特徴とする光標示具。
【請求項３】
前記光標示具本体は、有底筒状に形成され、前記棒状体の下端部に嵌合により装着されている請求項１に記載の光標示具。
【請求項４】
前記光標示具本体は環状に形成され、
前記凹部は、前記棒状体の下端部に嵌合により装着される有底筒状のキャップの外周面のほぼ全域に亘って設けられている請求項２に記載の光標示具。
【請求項５】
前記光標示具本体は環状に形成され、
前記凹部は、前記棒状体の下端部に嵌合により装着される有底筒状のキャップの外周面の上部位置に設けられている請求項２に記載の光標示具。
【請求項６】
前記凹部は、前記棒状体の下端部に嵌合により装着される有底筒状のキャップの外周面に等間隔おきに設けられ、
前記光標示具本体がストライプ状に取り付けられている請求項２に記載の光標示具。
【請求項７】
前記光標示具本体は、前記棒状体の上部及び中央部にも一体又は別体に設けられている請求項１〜請求項６のいずれか１つに記載の光標示具。
【請求項８】
前記棒状体としては、グリップ部を有する杖が適用されており、
前記光標示具本体は、前記グリップ部にも一体又は別体に設けられている請求項１〜請求項７のいずれか１つに記載の光標示具。
【考案の詳細な説明】
【技術分野】
【０００１】
この考案は、杖や車いすのフレームなどに取り付けて、夜間や降雨時においても遠方から杖などの棒状体を視認し易くし、それらの使用者の安全を確保するために使用される光標示具に関する。
【背景技術】
【０００２】
高齢者や身体に障害を持つ人は、姿勢や歩行を補助するために杖を使用したり、車いすを使用することがある。
【０００３】
これら杖や車いすは夜間や降雨時でも使用する場合があるが、当該杖や車いすは光の少ない夜間や降雨時においては特に視認しづらく、たとえば車のへッドライトがわずかしか到達しないような距離では杖や車いすの使用者を発見することが困難で、ブレーキや回避行動が遅れて思わぬ事故につながるおそれがある。
【０００４】
そこで、このような事故を未然に防止する上で、杖や車いすを遠方からでも視認し易くして、杖や車いすの使用者の安全性を高めるようにしたものが知られている(特許文献１参照)。
【０００５】
特許文献１に記載されている技術は、杖の石突の外周面に照射光を反射することができる帯状の反射板を被着するものである。
【０００６】
このような石突は、夜間や降雨時において自動車などからわずかに到達するヘッドライト等を強く反射し、その反射光によって遠方からでも運転者に杖といった棒状体の存在を早期に認識させるようにすることを目的としている。そして、帯状の反射板は、車いすの脚部にも被着可能であり、ヘッドライト等を強く反射する同様の反射光によって遠方からでも運転者に車いすの脚部といった棒状体の存在を早期に認識させるようにすることも可能である。
【０００７】
また、昼間の太陽光や、街灯及び自動車のヘッドライトの照射光などを蓄光する蓄光材よりなる蓄光板を石突の外周面や車いすの脚部に被着して、蓄光板から発する光によって遠方からでも運転者に棒状体の存在を早期に認識させるようにしたものもある。
【先行技術文献】
【特許文献】
【０００８】
【特許文献１】特開２０００−２８７７２９号
【考案の概要】
【考案が解決しようとする課題】
【０００９】
しかしながら、反射板や蓄光材などの光標示具は、杖や車いすの脚部といった棒状体の下端部の外周面に被着されるものであるため、路上の段差などの障害物との接触によって剥がれ易く、一部が剥がれた状態では見栄えが非常に悪いものとなる上、剥がれ落ちてしまうと遠方から運転手に棒状体の存在を早期に認識させることができない。
【００１０】
本考案は、かかる点に鑑みてなされたものであり、その目的とするところは、棒状体の下端部の外周面からの剥がれを確実に防止して、見栄えの悪化をなくしつつ、自動車のヘッドライトの照射光を確実に反射させて運転者が遠く離れた位置から棒状体の存在を明確に認知することができ、運転者が早い段階で事前に棒状体の存在に対応することができる光標示具を提供することにある。
【課題を解決するための手段】
【００１１】
前記目的を達成するため、本考案が講じた解決手段では、光標示具として、基材としての合成樹脂に蓄光材や反射材が配合された弾性樹脂組成物により光標示具本体が形成され、前記光標示具本体は、上下方向へ延びる棒状体の少なくとも下端部に一体に設けられることを特徴としている。
【００１２】
これに対し、本考案が講じたその他の解決手段では、光標示具として、基材としての合成樹脂に蓄光材や反射材が配合された弾性樹脂組成物により光標示具本体が形成され、前記光標示具本体は、上下方向へ延びる棒状体の少なくとも下端部に設けられた凹部に別体で嵌合されることを特徴としている。
【００１３】
また、前記光標示具本体は、有底筒状に形成され、前記棒状体の下端部に嵌合により装着されていてもよい。
【００１４】
これに対し、前記光標示具本体は環状に形成され、前記凹部は、前記棒状体の下端部に嵌合により装着される有底筒状のキャップの外周面のほぼ全域に亘って設けられていてもよい。
【００１５】
また、前記光標示具本体は環状に形成され、前記凹部は、前記棒状体の下端部に嵌合により装着される有底筒状のキャップの外周面の上部位置に設けられていてもよい。
【００１６】
また、前記凹部は、前記棒状体の下端部に嵌合により装着される有底筒状のキャップの外周面に等間隔おきに設けられ、前記光標示具本体がストライプ状に取り付けられていてもよい。
【００１７】
更に、前記光標示具本体は、前記棒状体の上部及び中央部にも一体又は別体に設けられていてもよい。
【００１８】
また、前記棒状体として、グリップ部を有する杖が適用されており、前記光標示具本体は、前記グリップ部にも一体又は別体に設けられていてもよい。
【考案の効果】
【００１９】
以上、要するに、基材としての合成樹脂に蓄光材や反射材を配合した弾性樹脂組成物により光標示具本体を形成し、この光標示具本体を上下方向へ延びる棒状体の少なくとも下端部に一体に設けることで、路上の段差などの障害物と接触による棒状体の下端部の外周面からの光標示具の剥がれを確実に防止できる。よって、剥がれによる見栄えの悪化をなくしつつ、自動車のヘッドライトの照射光を確実に反射させて運転者が遠く離れた位置から棒状体の存在を明確に認知することができ、運転者が早い段階で事前に棒状体の存在に対応することができる。
【００２０】
これに対し、基材としての合成樹脂に蓄光材や反射材が配合された弾性樹脂組成物により光標示具本体を形成し、この光標示具本体を上下方向へ延びる棒状体の少なくとも下端部に設けられた凹部に別体で嵌合することで、路上の段差などの障害物と接触による棒状体の下端部の外周面からの光標示具の剥がれを確実に防止し、剥がれによる見栄えの悪化をなくしつつ、遠方からでも運転者に杖の存在を早期に認識させることができる。
【００２１】
また、光標示具本体を有底筒状に形成し、棒状体の下端部に嵌合により装着することで、弾性樹脂組成物による光標示具本体自体の弾性によって棒状体の下端部からの不慮の抜け落ちが防止され、光標示具を棒状体の下端部に対し強固に装着することができる。
【００２２】
これに対し、棒状体の下端部に嵌合により装着される有底筒状のキャップの外周面のほぼ全域に亘って設けた凹部に環状の光標示具本体を嵌合することで、棒状体の下端部に嵌合した有底筒状のキャップの外周面のほぼ全域に亘って環状の弾性樹脂組成物からなる光標示具本体が嵌合され、有底筒状のキャップの外周面のほぼ全域に亘って照射光の反射や蓄光材による発光を行うことができる。
【００２３】
また、棒状体の下端部に装着した有底筒状のキャップの外周面の上部位置に設けた凹部に環状の光標示具本体を嵌合することで、有底筒状のキャップの外周面の上部位置に環状の弾性樹脂組成物からなる光標示具本体が嵌合され、有底筒状のキャップの外周面において視認し易い上部位置で照射光の反射や蓄光材による発光を行うことができる。
【００２４】
また、棒状体の下端部に装着した有底筒状のキャップの外周面に等間隔おきに設けた凹部に嵌合される光標示具本体をストライプ状に取り付けることで、有底筒状のキャップの外周面において視認し易いストライプ状での照射光の反射や蓄光材による発光を行うことができる。
【００２５】
更に、光標示具本体を棒状体の上部及び中央部にも取り付けることで、棒状体の下端部のみならず上部及び中央部においても照射光の反射や蓄光材による発光を行うことができる。
【００２６】
また、棒状体としてグリップ部を有する杖を適用し、光標示具本体をグリップ部にも取り付けることで、杖の下端部のみならずグリップ部においても照射光の反射や蓄光材による発光を行うことができる。
【図面の簡単な説明】
【００２７】
【図１】本考案の第１の実施の形態に係る光標示具を用いた杖の正面図である。
【図２】図１の光標示具の斜視図である。
【図３】図２の光標示具の正面図である。
【図４】図３のＡ−Ａ線における断面図である。
【図５】図３の光標示具の平面図である。
【図６】図３の光標示具の底面図である。
【図７】本考案の第２の実施の形態に係る光標示具の縦断正面図である。
【図８】図７の光標示具の斜視図である。
【図９】本考案の第３の実施の形態に係る光標示具の正面図である。
【図１０】本考案の第４の実施の形態に係る光標示具の正面図である。
【図１１】図１０のＢ−Ｂ線における断面図である。
【図１２】本考案の第５の実施の形態に係る光標示具を用いた杖の正面図である。
【図１３】本考案の第６の実施の形態に係る光標示具を用いた杖の正面図である。
【考案を実施するための形態】
【００２８】
本考案に係る実施形態を図面に基づいて説明する。
【００２９】
図１は本考案の第１の実施の形態に係る光標示具を用いた棒状体としての杖の正面図を示している。この杖１は、丸棒状の杖本体１１と、その杖本体１１の基端（上端）に取り付けられたグリップ部１０と、杖本体１１の先端（下端）に着脱自在に取り付けられる有底筒状のキャップとしての石突１２とを備えている。石突１２は、石突本体１３を備えている。また、石突本体１３の外周面には、光標示具２が取り付けられている。
【００３０】
石突本体１３は、例えば耐摩耗性に優れたスチレン・ブタジエン共重合系合成ゴム（ＳＢＲ）、エチレン・プロピレンゴム（ＥＰＤＭ）、ニトリルゴム（ＮＢＲ）等の合成ゴムの加硫成形品により構成されている。この成形品は、所定の滑り抵抗及び弾力性を有し、路面接地時における滑り止め及び衝撃緩和が図られるよう構成されている。
【００３１】
図２は光標示具２の斜視図、図３は光標示具２の正面図、図４は図３のＡ−Ａ線における断面図、図５は光標示具２の平面図、図６は光標示具２の底面図をそれぞれ示している。石突本体１３の上側内部には、軸心に沿って延び、かつ上端が上方に開放された円形断面の嵌着凹部１３１が形成され、この嵌着凹部１３１内に杖本体１１の先端部（図１では下端部）が嵌合装着されるよう構成されている。嵌着凹部１３１は、その内径が杖本体１１の外径よりも若干小さく設定され、杖本体１１を嵌着凹部１３１内に装着した際に、杖本体１１の外周面に弾性密着することで、杖本体１１の抜止めが確実に図られるよう構成されている。
【００３２】
石突本体１３の嵌着凹部１３１の底面には、円環状の金属板からなる杖先当接金具１３２が設けられ、杖本体１１が嵌着凹部１３１内に挿入された際に当接金具１３２に当接係止することにより、杖本体１１の位置決めが図られるよう構成されている。なお、当接金具１３２は、石突本体１３の成形時にインサート成形されることによって、嵌着凹部１３１の底面に一体に取り付けられている。
【００３３】
石突本体１３の外周面の下側部には、断面略半円弧状のくびれ部１３３が周方向に連続して形成されている。そして、石突本体１３は、外周面形状が上方に向かうに従って縮径するような略円錐台形状に形成されており、外周面がテーパ面１３４として構成されている。また、図６にも示すように、石突本体１３の底面は、その中心より放射状に延びる複数の放射溝１３５，１３５，…と、外径の略半分の径の周溝１３６とによって複数のブロック状に分割されている。
【００３４】
一方、光標示具２は、ポリメチルメタアクレート、ポリカーボネート等の透明樹脂からなる基材に蛍光塗料を分散しかつ当該基材に対して全表面にガラスビーズなどの反射材を混入したゴム組成物（弾性樹脂組成物）を加硫成形して無端帯状に形成された光標示具本体２０を備えている。
【００３５】
また、石突本体１３の外周面（テーパ面１３４）におけるくびれ部１３３よりも上方の上部位置には、周方向に連続して形成された周溝１３８（凹部）が設けられている。この周溝１３８の上下両端縁は、それぞれ断面略四分の一円弧状に形成されている。そして、光標示具本体２０は、上下両端縁がそれぞれ断面略半円弧状に形成された無端帯状を呈し、石突本体１３の周溝１３８に嵌挿されている。
【００３６】
すなわち、光標示具本体２０は、引き延ばしつつ拡径させて、石突本体１３の周溝１３８に対し外周面の上方から外嵌され、その上下両端縁を周溝１３８の上下両端縁に合致させることで、自身の弾性収縮力によって石突本体１３の周溝１３８に密着固定された状態で装着される。この装着状態では、光標示具本体２０は、石突本体１３の外周面から外側略半分（表面側の略半分）が露呈しており、石突１２の嵌着凹部１３１内に杖本体１１の先端部を圧入固定した杖１の下端部において夜間等の暗闇で自動車のヘッドライトを反射させている。
【００３７】
したがって、基材としての合成ゴム材料に蛍光塗料およびガラスビーズなどの反射材を配合したゴム組成物により無端帯状の光標示具本体２０を形成し、杖１の先端部に装着した石突本体１３の凹部状の周溝１３８に石突本体１３の外周面から外側略半分を露呈させた状態で光標示具本体２０が密着固定されて装着されているので、石突本体１３の外周面において視認し易い、くびれ部１３３よりも上方の上部位置で、照射光を反射させつつ、路上の段差などの障害物と接触による杖１の下端部の外周面からの光標示具２の剥がれを確実に防止できる。よって、剥がれによる見栄えの悪化をなくしつつ、自動車のヘッドライトを確実に反射させて運転者が遠く離れた位置から杖１を持った歩行者の存在を明確に認知することができ、運転者が早い段階で事前に歩行者に対応することができる。
【００３８】
次に、本考案の第２の実施の形態を図７及び図８に基づいて説明する。
【００３９】
この実施の形態では、光標示具の構成を変更している。なお、光標示具を除くその他の構成は、前記第１の実施の形態の場合と同じであり、同一の部分については同じ符号を付してその詳細な説明は省略する。図７は本考案の第２の実施の形態に係る光標示具の縦断正面図、図８は光標示具の斜視図をそれぞれ示している。
【００４０】
すなわち、本実施の形態では、図７及び図８に示すように、石突本体１３の外周面には、それぞれ周方向へ延びる４条の光標示具３，３，…が上下方向等間隔置きに取り付けられている。各光標示具３は、ポリメチルメタアクレート、ポリカーボネート等の透明樹脂からなる基材に蛍光塗料を分散しかつ当該基材に対して全表面にガラスビーズなどの反射材を混入したゴム組成物（弾性樹脂組成物）を加硫成形して無端帯状に形成された光標示具本体３０を備えている。
【００４１】
また、石突本体１３の外周面（テーパ面１３４）におけるくびれ部１３３よりも上方の上部位置には、上下方向に等間隔置きに形成された４条の周溝３３８，３３８，…（凹部）が設けられている。各周溝３３８の周端縁は、それぞれ断面略四分の一円弧状に形成されている。そして、各光標示具本体３０は、周端縁がそれぞれ断面略半円弧状に形成された無端帯状を呈し、石突本体１３の各周溝３３８にそれぞれ嵌挿されている。
【００４２】
要するに、各光標示具本体３０は、それぞれ引き延ばしつつ拡径させて、石突本体１３の各周溝３３８に対し外周面の上方から外嵌され、その上下両端縁を各周溝３３８の上下両端縁にそれぞれ合致させることで、自身の弾性収縮力によって石突本体１３の各周溝３３８に密着固定された状態で装着される。この装着状態では、各光標示具本体３０は、石突本体１３の外周面からそれぞれ外側略半分（表面側の略半分）が露呈しており、石突１２の嵌着凹部１３１内に杖本体１１の先端部を圧入固定した杖１の下端部において夜間等の暗闇で自動車のヘッドライトの光を反射させている。
【００４３】
したがって、基材としての合成ゴム材料に蛍光塗料およびガラスビーズなどの反射材を配合した弾性樹脂組成物により無端帯状の各光標示具本体３０を形成し、杖１の先端部に装着した石突本体１３の凹部状の各周溝３３８に石突本体１３の外周面から外側略半分を露呈させた状態で各光標示具本体３０が密着固定されて装着されているので、石突本体１３の外周面において視認し易い、くびれ部１３３よりも上方の上部位置で、照射光を反射させつつ、路上の段差などの障害物と接触による杖１の下端部の外周面からの各光標示具３の剥がれを確実に防止できる。よって、剥がれによる見栄えの悪化をなくしつつ、自動車のヘッドライトを確実に反射させて運転者が遠く離れた位置から杖１を持った歩行者の存在を明確に認知することができ、運転者が早い段階で事前に歩行者に対応することができる。
【００４４】
次に、本考案の第３の実施の形態を図９に基づいて説明する。
【００４５】
この実施の形態では、光標示具の構成を変更している。なお、光標示具を除くその他の構成は、前記第１の実施の形態の場合と同じであり、同一の部分については同じ符号を付してその詳細な説明は省略する。図９は本考案の第３の実施の形態に係る光標示具の正面図を示している。
【００４６】
すなわち、本実施の形態では、図９に示すように、石突本体１３の外周面には、上下方向へ延びる複数条の光標示具４，４，…が周方向等間隔置きに取り付けられている。各光標示具４は、ポリメチルメタアクレート、ポリカーボネート等の透明樹脂からなる基材に蛍光塗料を分散しかつ当該基材に対して全表面にガラスビーズなどの反射材を混入したゴム組成物（弾性樹脂組成物）を加硫成形して無端帯状に形成された光標示具本体４０を備えている。
【００４７】
また、石突本体１３の外周面（テーパ面１３４）におけるくびれ部１３３よりも上方の上部位置には、周方向に等間隔おきに形成された複数条の縦溝４３８，４３８，…（凹部）が設けられている。各縦溝４３８の周端縁は、それぞれ断面略四分の一円弧状に形成されている。そして、各光標示具本体４０は、周端縁がそれぞれ断面略半円弧状に形成された無端帯状を呈し、石突本体１３の各縦溝４３８にそれぞれ嵌挿されている。
【００４８】
要するに、各光標示具本体４０は、それぞれの周端縁を石突本体１３の各縦溝４３８の周端縁に対し合致させることで、密着固定された状態で装着される。この装着状態では、各光標示具本体４０は、石突本体１３の外周面からそれぞれ外側略半分（表面側の略半分）が露呈しており、石突１２の嵌着凹部１３１内に杖本体１１の先端部を圧入固定した杖１の下端部において夜間等の暗闇で自動車のヘッドライトの光を反射させている。
【００４９】
したがって、基材としての合成ゴム材料に蛍光塗料およびガラスビーズなどの反射材を配合した弾性樹脂組成物により無端帯状の各光標示具本体４０を形成し、杖１の先端部に装着した石突本体１３の凹部状の各縦溝４３８に石突本体１３の外周面から外側略半分を露呈させた状態で各光標示具本体４０が密着固定されて装着されているので、石突本体１３の外周面において視認し易い、くびれ部１３３よりも上方の上部位置で、照射光を反射させつつ、路上の段差などの障害物と接触による杖１の下端部の外周面からの各光標示具４の剥がれを確実に防止できる。よって、剥がれによる見栄えの悪化をなくしつつ、自動車のヘッドライトを確実に反射させて運転者が遠く離れた位置から杖１を持った歩行者の存在を明確に認知することができ、運転者が早い段階で事前に歩行者に対応することができる。
【００５０】
次に、本考案の第４の実施の形態を図１０及び図１１に基づいて説明する。
【００５１】
この実施の形態では、光標示具の構成を変更している。なお、光標示具を除くその他の構成は、前記第１の実施の形態の場合と同じであり、同一の部分については同じ符号を付してその詳細な説明は省略する。図１０は本考案の第４の実施の形態に係る光標示具の正面図、図１１は図１０のＢ−Ｂ線における断面図をそれぞれ示している。
【００５２】
すなわち、本実施の形態では、図１０及び図１１に示すように、石突本体１３の外周面の上下２箇所には、周方向へ延びる２条の光標示具５１，５２が取り付けられている。各光標示具５１，５２は、ポリメチルメタアクレート、ポリカーボネート等の透明樹脂からなる基材に蛍光塗料を分散しかつ当該基材に対して全表面にガラスビーズなどの反射材を混入したゴム組成物（弾性樹脂組成物）を加硫成形して無端帯状に形成された標示具本体５１０，５２０を備えている。
【００５３】
また、石突本体１３の外周面（テーパ面１３４）におけるくびれ部１３３よりも上方の上部位置と、くびれ部１３３よりも下方の下部位置とには、２条の上下の周溝５３８，５３９（凹部）が設けられている。各周溝５３８，５３９の周端縁は、それぞれ断面略四分の一円弧状に形成されている。そして、各光標示具本体５１０，５２０は、周端縁がそれぞれ断面略半円弧状に形成された無端帯状を呈し、石突本体１３の上下の周溝５３８，５３９にそれぞれ嵌挿されている。この場合、上側の光標示具本体５１０は下側の光標示具本体５２０よりも幅広に形成され、上側の周溝５３８も同様に下側の周溝５３９よりも幅広に形成されている。
【００５４】
要するに、各光標示具本体５１０，５２０は、それぞれ引き延ばしつつ拡径させて、石突本体１３の上下の周溝５３８，５３９に対し外周面の上方から外嵌され、それぞれの周端縁を各周溝５３８，５３９の周端縁にそれぞれ合致させることで、自身の弾性収縮力によって石突本体１３の各周溝５３８，５３９に密着固定された状態で装着される。この装着状態では、各光標示具本体５１０，５２０は、石突本体１３の外周面からそれぞれ外側略半分（表面側の略半分）が露呈しており、石突１２の嵌着凹部１３１内に杖本体１１の先端部を圧入固定した杖１の下端部において夜間等の暗闇で自動車のヘッドライトの光をそれぞれ反射させている。
【００５５】
したがって、基材としての合成ゴム材料に蛍光塗料およびガラスビーズなどの反射材を配合したゴム組成物により無端帯状の上下の光標示具本体５１０，５２０を形成し、杖１の先端部に装着した石突本体１３の各周溝５３８，５３９に石突本体１３の外周面から外側略半分を露呈させた状態で各光標示具本体５１０，５２０が密着固定されて装着されているので、石突本体１３の外周面において視認し易い、くびれ部１３３よりも上方の上部位置及び下方の下部位置といった外周面のほぼ全域で、照射光を反射させつつ、路上の段差などの障害物と接触による杖１の下端部の外周面からの各光標示具５１，５２の剥がれを確実に防止できる。よって、剥がれによる見栄えの悪化をなくしつつ、自動車のヘッドライトを確実に反射させて運転者が遠く離れた位置から杖１を持った歩行者の存在を明確に認知することができ、運転者が早い段階で事前に歩行者に対応することができる。
【００５６】
次に、本考案の第５の実施の形態を図１２に基づいて説明する。
【００５７】
この実施の形態では、光標示具の構成を変更している。なお、光標示具を除くその他の構成は、前記第１の実施の形態の場合と同じであり、同一の部分については同じ符号を付してその詳細な説明は省略する。図１２は本考案の第５の実施の形態に係る光標示具を用いた杖の正面図を示している。
【００５８】
すなわち、本実施の形態では、図１２に示すように、光標示具２は、石突本体１３の外周面といった杖本体１１の下端部の他に、杖本体１１の上部及び中央部にも取り付けられている。
【００５９】
杖本体１１の上部及び中央部には、周方向に連続して形成された凹部状の周溝１１１，１１２が設けられている。この周溝１１１，１１２の周端縁は、それぞれ断面略四分の一円弧状に形成されている。そして、光標示具本体２０は、杖本体１１の上部及び中央部の周溝１１１，１１２にそれぞれ嵌挿されている。すなわち、各光標示具本体２０は、引き延ばしつつ拡径させて、杖本体１１の上部及び中央部の周溝１１１，１１２に対し外周面の下方から外嵌され、その周端縁を周溝１１１，１１２の周端縁に合致させることで、自身の弾性収縮力によって杖本体１１の上部及び中央部の周溝１１１，１１２に密着固定された状態で装着される。この装着状態では、各光標示具本体２０は、杖本体１１の外周面から外側略半分（表面側の略半分）が露呈しており、杖１の上部及び中央部においても下端部と同様に夜間等の暗闇で自動車のヘッドライトを反射させている。
【００６０】
したがって、基材としての合成ゴム材料に蛍光塗料およびガラスビーズなどの反射材を配合した弾性樹脂組成物により無端帯状の光標示具本体２０を形成し、杖１の先端部に装着した石突本体１３の外周面といった下端部のみならず、杖１の上部及び中央部においても外側略半分を露呈させた状態で光標示具本体２０がそれぞれ密着固定されて装着されているので、杖１の上部、中央部及び下端部において夜間等の暗闇で自動車のヘッドライトを確実に反射させて運転者が遠く離れた位置から杖１を持った歩行者の存在をより明確に認知することができ、運転者がより早い段階で事前に歩行者に対応することができる。
【００６１】
次に、本考案の第６の実施の形態を図１３に基づいて説明する。
【００６２】
この実施の形態では、光標示具の構成を変更している。なお、光標示具を除くその他の構成は、前記第１の実施の形態の場合と同じであり、同一の部分については同じ符号を付してその詳細な説明は省略する。図１３は本考案の第６の実施の形態に係る光標示具を用いた杖の正面図を示している。
【００６３】
すなわち、本実施の形態では、図１３に示すように、光標示具６は、エチレン・プロピレンゴム（ＥＰＤＭ）、スチレン・ブタジエン共重合系合成ゴム（ＳＢＲ）、ニトリルゴム（ＮＢＲ）等の透明な合成ゴム材料（合成樹脂）からなる基材に蛍光塗料を分散しかつ当該基材に対して全表面にガラスビーズなどの反射材を混入したゴム組成物（弾性樹脂組成物）を加硫成形して形成された光標示具本体６０を備えている。この光標示具本体６０は、杖１の下端部に嵌合により装着される有底筒状の石突本体６１と、杖１の上端に装着されるグリップ部６２とをそれぞれ一体に形成している。
【００６４】
したがって、基材としての合成ゴム材料に蛍光塗料およびガラスビーズなどの反射材を配合したゴム組成物を加硫成形した光標示具本体６０によって、杖１の下端部の石突本体６１と杖１の上端のグリップ部６２とがそれぞれ一体に形成されているので、杖１の下端部と上端とで照射光を反射させつつ、路上の段差などの障害物と接触による杖１の下端部の外周面からの光標示具６の剥がれを確実に防止できる。よって、剥がれによる見栄えの悪化をなくしつつ、自動車のヘッドライトを杖１の下端部と上端とで確実に反射させて運転者が遠く離れた位置から杖１を持った歩行者の存在を明確に認知することができ、運転者が早い段階で事前に歩行者に対応することができる。
【００６５】
なお、本考案は、前記各実施の形態に限定されるものではなく、その他種々の変形例を包含している。例えば、前記各実施の形態では、光標示具本体２０，３０，４０，５１０，５２０，６０を、ポリメチルメタアクレート、ポリカーボネート等の透明樹脂からなる基材に蛍光塗料を分散しかつ当該基材に対して全表面にガラスビーズなどの反射材を混入したゴム組成物を加硫成形して形成したり、エチレン・プロピレンゴム、スチレン・ブタジエン共重合系合成ゴム、ニトリルゴム等の透明な合成ゴム材料からなる基材に蛍光塗料を分散しかつ当該基材に対して全表面にガラスビーズなどの反射材を混入したゴム組成物を加硫成形して形成したが、透明樹脂からなる基材に対して全表面にガラスビーズなどの反射材を混入したゴム組成物を加硫成形して光標示具本体が形成されていてもよい。
また、エチレン・プロピレンゴム（ＥＰＤＭ）、スチレン・ブタジエン共重合系合成ゴム（ＳＢＲ）、ニトリルゴム（ＮＢＲ）等の合成ゴム材料からなる基材に、蓄光材としての蓄光顔料が配合されたゴム組成物の加硫成形品によって、光標示具本体が形成されていてもよい。この場合には、光時に光源が必要な反射部材や蛍光顔料とは異なる蓄光顔料は、電灯や昼間の太陽光の光を内部に蓄積し、暗闇において自ら長時間発光するので、蓄光と発光とを半永久的に繰り返すことが可能である。
【００６６】
更に、前記各実施の形態では、光標示具２，３，４，５１，５２，６を、杖１の下端部、上端、上部及び中央部に取り付けた場合について述べたが、松葉杖、車いすやストレッチャーなどの介護用品等の脚部の他、自転車や乳母車の脚部や、傘などにも光標示具が取り付けられていてもよいのはいうまでもない。
【符号の説明】
【００６７】
１        杖（棒状体）
１０      グリップ部
１１      石突（キャップ）
２，３，４，５１，５２，６
光標示具
２０，３０，４０，５１０，５２０，６０
光標示具本体
１１１，１１２
上部及び中央部の周溝（凹部）
１３８    周溝（凹部）
３３８    周溝（凹部）
４３８    縦溝（凹部）
５３８    周溝（凹部）
６１      石突本体
６２      グリップ部
【図１】
0003196799.tif 000003
【図２】
0003196799.tif 000004
【図３】
0003196799.tif 000005
【図４】
0003196799.tif 000006
【図５】
0003196799.tif 000007
【図６】
0003196799.tif 000008
【図７】
0003196799.tif 000009
【図８】
0003196799.tif 000010
【図９】
0003196799.tif 000011
【図１０】
0003196799.tif 000012
【図１１】
0003196799.tif 000013
【図１２】
0003196799.tif 000014
【図１３】
0003196799.tif 000015